(57)【要約】【課題】ブレーキ・リザーバを有し、ブレーキ・リザーバおよび車両運転者と連絡しているタイヤ管理システムを利用する車両のブレーキ・システムを提供すること。【解決手段】この構成の結果として、タイヤ管理システムは、ブレーキ・リザーバの圧力信号を車両運転者に通知し、その結果、運転者は、トレーラを移動しようとする前に、トレーラ内のいかなる低圧力状況にも気づかされる。【選択図】図１
2006306387.tif 000002
【特許請求の範囲】
【請求項１】
ブレーキ・リザーバと、前記ブレーキ・リザーバおよび車両運転者と連絡している圧力変換器を有するタイヤ管理システムとを備える車両ブレーキ・システムであって、前記変換器がブレーキ・リザーバの圧力信号を前記車両運転者に伝達する車両ブレーキ・システム。
【請求項２】
圧力保護バルブをさらに備える、請求項１に記載の車両ブレーキ・システム。
【請求項３】
ブレーキ・リザーバと、警報装置と電気的に連絡している制御装置と電気的に連絡していて、前記ブレーキ・リザーバと空気的に連絡している圧力変換器を有するタイヤ管理システムとを備える車両ブレーキ・システムであって、
前記制御装置は前記ブレーキ・リザーバ内の圧力を判断することによって論理順序を開始し、前記ブレーキ・リザーバ内の圧力がリザーバ圧力限度より大きい場合、前記制御装置は警報装置を解除し、開始論理順序に戻り、
前記ブレーキ・リザーバ内の圧力がリザーバ圧力限度より大きくない場合、制御装置は車両速度信号が利用可能かどうか判断し、前記車両速度信号が利用できない場合、前記制御装置は前記警報装置を作動させ、開始論理順序に戻り、
前記車両速度信号が利用できる場合、前記制御装置は前記車両速度がゼロに等しいかどうか判断し、前記車両速度がゼロに等しい場合、前記制御装置は開始論理順序に戻り、
前記車両速度がゼロに等しくない場合、前記制御装置は前記警報装置を作動させ、開始論理順序に戻る車両ブレーキ・システム。
【請求項４】
圧力保護バルブをさらに備える、請求項３に記載の車両ブレーキ・システム。
【請求項５】
前記制御装置はブレーキ・リザーバ圧力および制御装置の判断結果をデータ・リンク上にブロードキャストする、請求項３に記載の車両ブレーキ・システム。
【請求項６】
前記車両速度がゼロに等しいかどうかの判断が、前記車両速度が車両速度しきい値より低いかどうかの判断と直接取り替えられる、請求項３に記載の車両ブレーキ・システム。
【請求項７】
前記ブレーキ・リザーバ内の圧力がリザーバ圧力限度より大きいかどうかの判断が、前記車両ブレーキ・リザーバ内の圧力の上昇または下落の変化率の判断をも含む、請求項３に記載の車両ブレーキ・システム。
【請求項８】
前記ブレーキ・リザーバ内の圧力がリザーバ圧力限度より大きいかどうかの判断が、リザーバのタイマが経過したかどうかの判断をも含む、請求項３に記載の車両ブレーキ・システム。
【請求項９】
エンジンの１分あたりの回転数の判断をさらに含む、請求項３に記載の車両ブレーキ・システム。
【請求項１０】
車両ブレーキ・リザーバを有する車両ブレーキ・システムを利用するステップと、
圧力変換器を有するタイヤ管理システムを利用するステップと、
前記圧力変換器を利用して前記車両ブレーキ・リザーバ内の圧力を感知するステップと、
ブレーキ・リザーバ圧力信号を車両運転者に通知するステップと
を含む、車両ブレーキ・リザーバ圧力を監視する方法。
【請求項１１】
前記車両ブレーキ・リザーバ内の空気圧力が予め設定された圧力限度より高い場合のみ、空気が前記タイヤ管理システムに、次いで車両タイヤへ、流れることができるようにする圧力保護バルブを利用するステップをさらに含む、請求項１０に記載の方法。
【請求項１２】
車両のタイヤ管理システムを使用して車両ブレーキ・リザーバ圧力を監視する方法であって、
ブレーキ・リザーバと連絡しているエアラインと連絡している圧力変換器を有するタイヤ管理電子制御装置を備える既存のタイヤ管理システムを車両上に配備するステップと、
前記エアライン内の空気圧を感知することによって前記ブレーキ空気リザーバ内の空気圧を判断するステップと、
前記監視されたブレーキ・リザーバの空気圧に基づく前記タイヤ管理電子制御装置からの電子信号を提供するステップであって、前記タイヤ管理電子制御装置が前記ブレーキ空気リザーバの空気圧を計算するステップと、
前記ブレーキ空気リザーバ圧力信号を、前記タイヤ管理電子制御装置を介して、前記車両の運転者に通知するステップと
を含む方法。
【請求項１３】
前記車両ブレーキ・リザーバ内の空気圧が予め設定された圧力限度より高い場合のみ、空気が前記タイヤ管理システムに、次いで車両タイヤへ、流れることができるようにする圧力保護バルブを提供するステップ
をさらに含む、請求項１２に記載の方法。
【発明の詳細な説明】
【技術分野】
【０００１】
本発明は、タイヤ管理システムを利用しながら、車両のブレーキ・システム内の圧力を監視するシステムに関する。より詳細には、本発明は、車両が既存のタイヤ管理システムを利用する付属のトレーラ（ａｔｔａｃｈｅｄ  ｔｒａｉｌｅｒ）を有する場合、車両のブレーキ・リザーバ（ｂｒａｋｅ  ｒｅｓｅｒｖｏｉｒ）内の圧力を監視するシステムおよび方法に関する。
【背景技術】
【０００２】
車両は、一般にブレーキ・システム内に（空気または作動油などの）流体の適切な圧力レベルを提供するブレーキ・リザーバを有するブレーキ・システム（ＶＢＳ）を備えていることを当業者は知っている。さらに、車両のタイヤの空気圧を維持するためにＶＢＳリザーバからの加圧空気を使用するタイヤ管理システム（ＴＭＳ）を有する車両（たとえばトラック、トレーラを牽引するトラクタなど）もあることが知られている。ＴＭＳは車両に連結されたトレーラに関連するのが普通である。
【０００３】
残念ながら、現在の車両のエアブレーキ・システム（ａｉｒ  ｂｒａｋｅ  ｓｙｓｔｅｍ）では、「ばねブレーキ優先」（ｓｐｒｉｎｇ  ｂｒａｋｅ  ｐｒｉｏｒｉｔｙ）となっているため、車両運転者はＶＢＳリザーバ内の圧力レベルに関係なくトレーラを移動することができる。したがって、トレーラを停止するのに十分なＶＢＳリザーバの圧力がなくてもトレーラを運転することが可能である。ＶＢＳリザーバ圧力の低下は、いくつかの要因、たとえば欠陥のあるばねブレーキ・バルブまたはリザーバ自身内の甚だしくはなくてもかなりの漏洩によって生じる可能性がある。（複数トレーラ使用の場合など）他の状況では、ＶＢＳリザーバの圧力はばねブレーキを外しておくには低すぎてブレーキが過熱する可能性がある。
【０００４】
ブレーキ空気圧供給またはＶＢＳリザーバ圧力に関わる関連技術の例は、以下の通りである。Ｃａｍｐａｎｉｎｉの米国特許第４５９３９５４号は、エアブレーキ・バルブ・システムを記載している。エアブレーキ・バルブ・システムは、トレーラ上に、空気リザーバ・タンクに圧力を充填し保護するバルブ・クラスタ（ｖａｌｖｅ  ｃｌｕｓｔｅｒ）を有する。バルブ・クラスタは、運転者に空気リザーバ・タンクの低圧を警報するためにトラクタ内に低圧警報手段を有する。バルブ・クラスタは、空気リザーバ・タンク（ａｉｒ  ｒｅｓｅｒｖｏｉｒ  ｔａｎｋ）の圧力が低すぎる場合にそれを判断する機械システムを備えている。
【０００５】
Ｖａｎｄｅｒｍｏｔｔｅｒの米国特許第４７６３９５９号は、車両のブレーキ・システムのための電子制御を提供する。このシステムは、車両のコンプレッサに連結された供給リザーバ（ｓｕｐｐｌｙ  ｒｅｓｅｒｖｏｉｒ）を含む。この供給リザーバに圧力センサが直接連結されていて、供給リザーバはフロント・サービス・リザーバおよびリア・サービス・リザーバに連結されている。フロント・サービス・リザーバおよびリア・サービス・リザーバは、それぞれ別個の圧力センサを有する。これらの圧力センサは電子制御ユニットに連結されており、この電子制御ユニットはこれらの圧力センサを監視する。
【０００６】
Ｋｕｈｎらの米国特許第４８７７２９４号は、空気圧供給装置（ｐｎｅｕｍａｔｉｃ  ｐｏｗｅｒ  ｓｕｐｐｌｙ）内の圧縮空気の圧力を感知するように配置された電気圧力変換器（ｅｌｅｃｔｒｉｃ  ｐｒｅｓｓｕｒｅ  ｔｒａｎｓｄｕｃｅｒ）を有するトラクタ‐トレーラのブレーキ・システムを教示している。圧力変換器はタンク内の圧力を感知するために供給タンクの上に載せられる。Ｋｕｈｎはまた、感知された圧力が予め決められた大きさより増大または減少した場合、変換器が電子装置（ｅｌｅｃｔｒｏｎｉｃｓ）を介して運転室（ｏｐｅｒａｔｏｒ’ｓ  ｃｏｍｐａｒｔｍｅｎｔ）にあるアラームを作動させるように動作するとも述べている。
【０００７】
Ｓｅｌｌの米国特許第５１７２９５８号は、上記Ｃａｍｐａｎｉｎｉのものに類似したエアブレーキ・バルブ・システムを開示しているが、Ｓｅｌｌの開示は、３つのバルブ・クラスタが使用され得ることを示している。第１のバルブ・クラスタは、緊急グラッドハンド供給ライン（ｅｍｅｒｇｅｎｃｙ  ｇｌａｄｈａｎｄ  ｓｕｐｐｌｙ  ｌｉｎｅ）からばねエアブレーキ（ｓｐｒｉｎｇ  ａｉｒ  ｂｒａｋｅ）への圧縮空気の通路を制御する。第２のバルブ・クラスタは、空気リザーバ・タンクの充填および保護を制御する。第３のバルブ・クラスタは、ばねブレーキがかけられた時に、サービス・ブレーキ（ｓｅｒｖｉｃｅ  ｂｒａｋｅ）によるブレーキ力の複合を排除する。
【０００８】
Ｍａｌｅｃｈａの米国特許第５５３３８６６号は、エア・コンプレッサに連結された第１のリザーバおよび第２のリザーバを含む車両用の加圧エアブレーキ・システム（ｐｒｅｓｓｕｒｉｚｅｄ  ａｉｒ  ｂｒａｋｅ  ｓｙｓｔｅｍ）を教示している。第１および第２リザーバは、制御システムに結合される。制御システムも、第１および第２リザーバ内の空気圧力レベルに対応してコンプレッサを作動させたり止めたりするコンプレッサに結合される。Ｍａｌｅｃｈａは、リザーバはタンデム・トレーラ（ｔａｎｄｅｍ  ａｎｄ  ｔｒａｉｌｅｒ）のサービス・ブレーキ、パーキング・ブレーキ（ｐａｒｋｉｎｇ  ｂｒａｋｅ）、およびワイパに連結されるが、他の構成要素もリザーバに連結されることができると述べている。各リザーバは、圧力ダイヤフラム（ｐｒｅｓｓｕｒｅ  ｄｉａｐｈｒａｇｍ）を含むスイッチを有する。このダイヤフラムは、リザーバ内の空気圧の変化に対応してアクティブ化される位置（ａｃｔｉｖａｔｅｄ  ｐｏｓｉｔｉｏｎ）と非アクティブ化される位置（ｄｅａｃｔｉｖａｔｅｄ  ｐｏｓｉｔｉｏｎ）との間でトグルする。Ｍａｌｅｃｈａはまた、マイクロプロセッサおよび空気圧センサを使用してリザーバの空気圧を監視し、エア・コンプレッサによる空気の圧縮を制御することができるとも述べている。
【０００９】
Ｋｒｉｅｄｅｒらの米国特許第５５９２７５４号は、リザーバ内の圧力を感知するためにリザーバに連結された圧力変換器を提供している。この変換器は、リザーバ内の圧力を示す電気信号を電子制御装置に提供する。この制御装置は信号を使用して３つの異なるアウトプット、すなわち低圧警報ランプ、コンプレッサ制御ソレノイドおよびパージ制御ソレノイド（ｐｕｒｇｅ  ｃｏｎｔｒｏｌ  ｓｏｌｅｎｏｉｄ）を制御する。Ｋｒｉｅｄｅｒは、制御装置は、３つの別々の機械装置ではなくこれらのアイテムを制御するように設計されていることを教示している。
【００１０】
Ｄｅｌｆｓらの米国特許第６０７９４３６号は、逆止め弁と圧縮空気容器との間の空気供給ラインに連結された圧力センサを開示している。このセンサは感知された圧力を電子制御装置（ｃｏｎｔｒｏｌ  ｅｌｅｃｔｒｏｎｉｃｓ）に通知する。電子制御装置は２つの圧力調整弁の１つに信号を送る。この弁は、コンプレッサから少なくとも１つの圧縮空気コンシューマ（ｃｏｍｐｒｅｓｓｅｄ  ａｉｒ  ｃｏｎｓｕｍｅｒ）への空気を許容する出口弁に連結されている。
【００１１】
Ｋｎｉｇｈｔの米国特許第６６８２４５９号は、電子空気充填制御装置（ＥＡＣ）［ｅｌｅｃｔｒｏｎｉｃ  ａｉｒ  ｃｈａｒｇｅ  ｃｏｎｔｒｏｌｌｅｒ］と第１および第２圧力センサとを有する車両ブレーキ圧縮空気供給システムを教示している。第１圧力センサは供給リザーバに連結された管内の圧力を測定する。管内の圧力は、リザーバ内の圧力を示す。感知された圧力は、リザーバ内の圧力が予め決められた大きさより低いかどうかＥＡＣが判断することができるように、ＥＡＣに送られる。圧力が予め決められた大きさより低い場合は、エンジンに信号が送られてＲＰＭを上げる。
【００１２】
しかしながら、車両が既存のタイヤ管理システムと併せて車両ブレーキ・システムを利用して、低ブレーキ圧状況を検出し、車両の運転者に警報するようにすれば、そのほうがより安全で、経済的にも有利であろう。
【特許文献１】米国特許第４５９３９５４号
【特許文献２】米国特許第４７６３９５９号
【特許文献３】米国特許第４８７７２９４号
【特許文献４】米国特許第５１７２９５８号
【特許文献５】米国特許第５５３３８６６号
【特許文献６】米国特許第５５９２７５４号
【特許文献７】米国特許第６０７９４３６号
【特許文献８】米国特許第６６８２４５９号
【発明の要約】
【００１３】
本発明は、車両の運転者と連絡している（ｉｎ  ｃｏｍｍｕｎｉｃａｔｉｏｎ  ｗｉｔｈ）変換器を有する車両タイヤ管理システムと連絡しているブレーキ・リザーバを有する車両ブレーキ・システムに関する。
【００１４】
この構成の結果、変換器はブレーキ・リザーバの圧力信号を車両の運転者に伝達し、その結果、車両の運転者は車両内の低ブレーキ圧状況に気がつく。
【００１５】
本発明の他の利点は、明細書の一部を形成する添付の図面を参照することによって、以下の説明および添付の特許請求の範囲から明らかになる。なお、添付の図面では、いくつかの図の対応する部分が同じ参照符号によって示されている。
【発明を実施するための最良の形態】
【００１６】
本発明は、別に明記されない限り、様々な代替配置（ａｌｔｅｒｎａｔｉｖｅ  ｏｒｉｅｎｔａｔｉｏｎ）および順序（ｓｔｅｐ  ｓｅｑｕｅｎｃｅ）を想定することができることを理解されたい。また、添付の図面に示され、以下の明細書に記載されている個々の装置およびプロセスは、添付の特許請求の範囲で定義された本発明の概念の単に例示的な実施形態にすぎないことも理解されたい。したがって、開示された実施形態に関する個々の寸法、指示またはその他物理的特徴は、特許請求の範囲で別に明記されない限り、限定するものと考えられるべきではない。
【００１７】
図１は、車両ブレーキ圧監視システム（ＶＰＭ）２０を備える、たとえばトラックまたはトラクタでよい車両１０を示す概略図である。図示されているように、車両１０は連結トレーラ２５を有する。車両１０は、エンジンの一部分でよい車両電子制御装置（ｖｅｈｉｃｌｅ  ｅｌｅｃｔｒｏｎｉｃ  ｃｏｎｔｒｏｌ  ｕｎｉｔ）１２（ＥＣＵ）、および車両の運転者が身を置くコンパートメント１５を含む。車両１０はまた、第１の電線１７を介してＥＣＵ１２と電気的に連絡している警報装置１６も含む。
【００１８】
ＶＰＭ２０は、車両ブレーキ・システム３５（ＶＢＳ）の一部分である（ヘビーデューティ・トラック・トレーラに装備されている）ブレーキ・リザーバ３０、圧力保護バルブ２８、およびタイヤ管理システム４０（ＴＭＳ）を含む。ＴＭＳ４０は、車両１０にすでに設置されているタイヤ管理システムでよい。ＴＭＳ４０は車両のタイヤ（図示されていない）内のある決まったレベルの空気圧を維持するために利用される。ＶＢＳ３５は、車両１０の適切なブレーキングのために、あるレベルの空気圧が持続されＶＢＳ３５にとって利用可能であることを保証するために、ブレーキ・リザーバ３０を利用する。圧力保護バルブ２８は、ＶＰＭ２０内で利用されて、リザーバ３０内の空気圧が予め設定された圧力限度より高い場合のみ、空気がＴＭＳ４０を通ってタイヤへ流れることができようにする。この設計は、ＴＭＳ４０が、安全のために不可欠な車両ブレーキ・システム３５の代償として、ブレーキ・リザーバ３０の加圧空気を使い果たすのを防止する。
【００１９】
本発明では、トレーラ２５は必ずしも必要でないことを理解されたい。この実施形態では、トラックまたはトラクタそのものは、ＶＰＭ２０、ＴＭＳ４０、およびブレーキ・リザーバ３０を有するＶＢＳ３５を備える。しかし、この実施形態は、上記でトレーラ２５を有する実施形態に関して説明された機能とほぼ同じ機能を果たす。
【００２０】
再度図１を参照すると、ＴＭＳ４０は、ブレーキ・リザーバ３０から供給ソレノイド４６に加圧空気を供給する第１のエアライン（ａｉｒ  ｌｉｎｅ）２７を含む。供給ソレノイドは加圧空気を第２のエアライン４９に渡す。エアライン４９は加圧空気を、たとえば、タイヤ内の空気圧を維持するためにタイヤに供給する。エアライン４９は、ＴＭＳ４０にすでに存在する圧力変換器４４に連結されている。
【００２１】
ブレーキ・リザーバ３０内の圧力をＥＣＵ１２に通知するためには、既存の変換器４４を利用することができるので、別の変換器は必ずしも必要でないことは、本発明で初めて分かったことである。本発明では、ブレーキ・リザーバ３０内の圧力の通知は、第２の電線４７を介して行われる。第２の電線４７は、圧力変換器４４と制御装置４５（別名、タイヤ管理電子制御装置）の間を電気的に連絡する。この制御装置４５は、トレーラ２５（またはトラック／トラクタ）上に配置され、ブレーキ圧信号および／または様々な警報信号を第３の電線１８を介して車両ＥＣＵ１２に電気的に伝達する。
【００２２】
制御装置４５によって提供される電子制御機能は、トレーラ２５（またはトラック／トラクタ）上のどこかほかの場所に配置されてもよい別の制御装置（図示されていない）によって、あるいはＥＣＵ１２それ自身によって提供されてもよく、それでもやはり本発明の主旨および範囲内にあることを理解されたい。
【００２３】
図２は、第１エアライン２７、供給ソレノイド４６、抽気エアライン（ｂｌｅｅｄ  ａｉｒ  ｌｉｎｅ）４１、圧力変換器４４、排気バルブ４３、および制御ソレノイド４２を含むＴＭＳ４０の概略回路を示す。第１エアライン２７には、供給ソレノイド４６が連結されている。抽気エアライン４１は、第１エアライン２７に連結されているが、供給ソレノイド４６はバイパスする。圧力変換器４４は、供給ソレノイド４６の下流にある第２エアライン４９に連結されており、排気バルブ４３は第２エアライン４９上の圧力変換器４４の下流にある。排気バルブ４３は、制御ライン４８を介して制御ソレノイド４２によって制御され、制御ソレノイド４２は第１エアライン２７に連結されている。
【００２４】
ブレーキ空気リザーバ３０内の空気圧（たとえばポンド／平方インチ）は、圧力変換器４４によってタイヤ管理システム４０の第１エアライン２７内の空気圧を感知することにより判断される。圧力変換器４４は、第１エアライン２７内の監視された空気圧に基づいて電子信号を提供する。この電子信号は、車両１０のタイヤ管理電子制御装置４５に送信される。
【００２５】
タイヤ管理電子制御装置４５は、ブレーキ空気リザーバ３０の空気圧を計算し、次いで、ブレーキ空気リザーバ３０の計算された空気圧の信号を、車両１０の運転者に（たとえば、第３の電線１８上のＥＣＵ１２によって、次いで第１の電線１３によって、車両コンパートメント１５内の警報装置１６に）通知する。警報が作動された場合、データ・リンク・メッセージが生成されることは任意選択で可能である（図３および以下の説明を参照）。
【００２６】
警報装置１６は、たとえば、圧力読み出しおよび／または圧力レベルを示すライトの形を取ることができる。また、トレーラ２５の先端（ｎｏｓｅ）に警報ランプを取り付けることも考えられる。警報装置１６は、当技術分野での一般的な装置でよい。
【００２７】
図３に示されているのは、本発明のロジックの流れ図であり、ブレーキ・リザーバ３０はタイヤ管理システム４０と空気的に連絡している（ｉｎ  ｐｎｅｕｍａｔｉｃ  ｃｏｍｍｕｎｉｃａｔｉｏｎ  ｗｉｔｈ）。圧力変換器４４は、制御装置４５と電気的に連絡している（ｉｎ  ｅｌｅｃｔｒｉｃａｌ  ｃｏｍｍｕｎｉｃａｔｉｏｎ  ｗｉｔｈ）。制御装置４５も車両コンパートメント１５内の警報装置１６と電気的に連絡していて、制御装置４５は開始論理順序［ｓｔａｒｔｉｎｇ  ｌｏｇｉｃ  ｓｅｑｕｅｎｃｅ］（Ｓｔａｒｔ）を開始する。次いで、制御装置４５は、ブレーキ・リザーバ３０内の圧力がブレーキ・リザーバの圧力限度（ポンド／平方インチ、ＰＳＩ）より大きいかどうか判断し、大きい場合は、制御装置４５は警報装置１６を解除し、開始論理順序に戻る。
【００２８】
ブレーキ・リザーバ３０内の圧力がブレーキ・リザーバの圧力限度より大きくない場合は、制御装置４５は、車両速度（情報）信号が利用可能かどうか判断する。制御装置４５が、車両速度信号が利用可能であると判断しなかった場合は、制御装置４５は警報装置１６を作動させ、開始論理順序に戻る。
【００２９】
車両速度信号は、トレーラ２５上にまたはその近くに配置されているアンチロック・ブレーキ・システム（ＡＢＳ）モジュール（図示されていない）から、データ・リンク１８（別名、第３の電線１８）を介して提供されることができる。車両速度信号はまた、（Ｉｎｔｅｌｌｏｎ  Ｃｏｒｐｏｒａｔｉｏｎで入手可能な構成要素に基づく）ＰＬＣ４ＴＲＵＣＫＳリンク、無線周波数リンク、または（米国自動車技術者協会Ｊ１７０８またはＪ１５８７などの）工業標準有線データ・バスを利用することができる他のソース（トラック／トラクタ）を提供されることもできる。さらに、ＴＭＳ制御装置４５は、別個のハードワイヤード速度センサ（図示されていない）を利用するように変更されることもできる。
【００３０】
制御装置４５が、車両速度信号が利用可能であると判断する場合は、制御装置４５は、車両速度がゼロに等しいかどうか判断し、等しい場合は、制御装置４５は開始論理順序に戻る。速度がゼロに等しくない場合は、制御装置４５は警報装置１６を作動させ、開始論理順序に戻る。
【００３１】
上記で詳細に説明された論理順序に加えて、本発明は、ブレーキ圧を監視するために図３に示されている別の基準を含むことができる。たとえば、
ａ）論理順序内の様々なステップにおいて、ブレーキ・リザーバの圧力および制御装置４５の判断をデータ・リンク上に任意選択でブロードキャストし、
ｂ）警報を提供することなく低速度でのトレーラ２５の移動ができるようにする論理順序のステップを提供するが、その時ある一定の車両速度しきい値（たとえば１０マイル／時）を超えそうな場合は警報を通知し、
ｃ）邪魔な警報を減らすために、ブレーキ・リザーバ供給圧力の上昇の変化率および／または下落の変化率を利用し、
ｄ）車両速度の代わりにエンジン１４の１分あたりの回転数（ＲＰＭ）を判断し、
ｅ）ブレーキ・リザーバ圧力を判断する代わりに、あるいはそれに加えて、エア・コンプレッサ（図示されていない）が作動しているかどうか判断し、
ｆ）様々な動作が行われる前、あるいは行われないうちに、タイマ（たとえばリザーバ圧力タイマ）を論理順序ステップのいずれかに組み込み、かつ／または
ｇ）様々な速度センサおよび圧力センサのデータを利用して比例・積分・微分（ＰＩＤ）アルゴリズムを展開し、低空気供給を警報する。
【００３２】
これらの追加基準のいずれかあるいはそれらの組合せの結果として、トレーラ２５とＥＣＵ１２の間の制御が実現され得る。
【００３３】
ＴＭＳ４０は、ＡＢＳに関連する制御装置（図示されていない）に組み込まれた場合、さらに効率を上げることができる。そのような構成では、ＴＭＳ４０用の電子制御装置４５は、実際にはＡＢＳ制御装置であり、ＡＢＳおよびＴＭＳ４０をも制御する。こうすることによって、トラック、トラクタ、および／またはトレーラ内の様々な電気通信ライン上に存在する車輪の速度情報、データ・リンク、および、その他の情報の共用が可能になる。
【００３４】
本発明の原理および動作モードは、特許法の規定に従って本発明の好ましい実施形態に記載され図示されている。しかしながら、本発明は、本発明の主旨または範囲から逸脱することなく、詳細に説明され図示された以外の方法で実施されてもよいことが理解されなければならない。
【図面の簡単な説明】
【００３５】
【図１】本発明による車両の概略図である。
【図２】図１の車両による概略回路図である。
【図３】本発明によるロジックの流れ図である。
【符号の説明】
【００３６】
１０  車両
１２  車両電子制御装置（ＥＣＵ）
１３  第１の電線
１４  エンジン
１５  コンパートメント、車両コンパートメント
１６  警報装置
１７  第１の電線
１８  第３の電線、データ・リンク
２０  車両ブレーキ圧監視システム（ＶＰＭ）
２５  連結トレーラ
２７  第１のエアライン
２８  圧力保護バルブ
３０  ブレーキ・リザーバ、ブレーキ空気リザーバ
３５  車両ブレーキ・システム（ＶＢＳ）
４０  タイヤ管理システム（ＴＭＳ）
４１  抽気エアライン
４２  制御ソレノイド
４３  排気バルブ
４４  圧力変換器
４５  制御装置（別名、タイヤ管理電子制御装置）
４６  供給ソレノイド
４７  第２の電線
４８  制御ライン
４９  第２のエアライン
【図１】
2006306387.tif 000003
【図２】
2006306387.tif 000004
【図３】
2006306387.tif 000005
【外国語明細書】
2006306387.tif 000006
2006306387.tif 000007
2006306387.tif 000008
2006306387.tif 000009
2006306387.tif 000010
2006306387.tif 000011
2006306387.tif 000012
2006306387.tif 000013
2006306387.tif 000014
2006306387.tif 000015
2006306387.tif 000016
2006306387.tif 000017
2006306387.tif 000018
2006306387.tif 000019
2006306387.tif 000020
2006306387.tif 000021
2006306387.tif 000022
【図１】
2006306387.tif 000023
【図２】
2006306387.tif 000024
【図３】
2006306387.tif 000025